(57)【要約】【課題】偏波保持ファイバ（ＰＭＦ）出力の光測定器や光源において、クロストークの劣化した最終段でクロストークの改善することによって、高い光出力の安定度を容易に得ることが可能なクロストーク改善モジュールを提供する。【解決手段】第１の偏波保持ファイバ１と第２の偏波保持ファイバ２間に介在されるクロストーク改善モジュールであって、前記第１の偏波保持ファイバ１からの出力光を平行光にする第１のレンズ３と、前記平行光を直線偏光に切り出す偏光子４と、前記偏光子の出力光を分岐する分岐素子６と、前記分岐素子で分岐された一方の分岐光を集光して前記第２の偏波保持ファイバに出力する第２のレンズ５と、前記分岐素子で分岐された他方の分岐光を受光する受光素子７とを備えるクロストーク改善モジュール。【選択図】　　図１
2004037553.tif 000002
【特許請求の範囲】
【請求項１】
第１の偏波保持ファイバと第２の偏波保持ファイバ間に介在されるクロストーク改善モジュールであって、
前記第１の偏波保持ファイバからの出力光を平行光にする第１のレンズと、
前記平行光を直線偏光に切り出す偏光子と、
前記偏光子の出力光を分岐する分岐素子と、
前記分岐素子で分岐された一方の分岐光を集光して前記第２の偏波保持ファイバに出力する第２のレンズと、
前記分岐素子で分岐された他方の分岐光を受光する受光素子と、
を備えることを特徴とするクロストーク改善モジュール。
【請求項２】
第１の偏波保持ファイバと第２の偏波保持ファイバ間に介在されるクロストーク改善モジュールであって、
前記第１の偏波保持ファイバからの出力光を平行光にする第１のレンズと、
前記平行光を直線偏光に切り出す偏光子と、
前記偏光子の出力光を分岐する分岐素子と、
前記分岐素子で分岐された一方の分岐光を集光して前記第２の偏波保持ファイバに出力する第２のレンズと、
前記分岐素子で分岐された他方の分岐光を受光するモニタファイバと、
を備えることを特徴とするクロストーク改善モジュール。
【請求項３】
前記受光素子又はモニタファイバからの出力に応じて前記第１の偏波保持ファイバへの光源の電流を制御する駆動手段を備えることを特徴とする請求項１又は２に記載のクロストーク改善モジュール。
【請求項４】
第１の偏波保持ファイバと第２の偏波保持ファイバ間に介在されるクロストーク改善モジュールであって、
前記第１の偏波保持ファイバからの出力光を平行光にする第１のレンズと、
前記平行光を直線偏光に切り出す偏光子と、
前記偏光子の出力光を分岐する分岐素子と、
前記分岐素子で分岐された一方の分岐光を集光して前記第２の偏波保持ファイバに出力する第２のレンズと、
前記分岐素子で分岐された他方の分岐光を受光する受光素子と、
前記偏光子の前段若しくは後段に設けられた入力光を可変させる光可変減衰器とを備え、前記受光素子からの出力に応じて前記光可変減衰器を制御することを特徴とするクロストーク改善モジュール。
【請求項５】
前記第１の偏波保持ファイバと前記クロストーク改善モジュールの入力端子との接続をレセプタクルによって行うことを特徴とする請求項１〜４に記載のクロストーク改善モジュール。
【請求項６】
偏波保持ファイバ対応の光学要素を複数段カスケード接続した装置の最終段に接続されることを特徴とする請求項１〜５に記載のクロストーク改善モジュールの使用方法。
【発明の詳細な説明】
【０００１】
【発明の属する技術分野】
本発明は、偏波保持ファイバ（ＰＭＦ（Ｐｏｌａｒｉｚａｉｔｉｏｎ−Ｍａｉｎｔａｉｎｇ−Ｆｉｂｅｒ））出力のクロストークを改善するものに関する。
【０００２】
【従来の技術】
偏波保持ファイバ（ＰＭＦ）出力の光測定装置や光源装置を製作する場合には、装置内部に使用する各種光学部品も偏波保持ファイバ（ＰＭＦ）対応にする必要がある。
そして、装置内部で各種光学部品をカスケード（直列）に接続する場合には、カスケード接続される光学部品各々のクロストークやコネクタ接続、融着接続といった接続部での光学軸合わせ誤差等によって装置の最終段でのクロストークは大きく劣化してしまう。
この装置の最終段でのクロストークは大きく劣化することの解決策としてのクロストーク改善モジュールの例としては、図６〜図９に記載にものがある。
【０００３】
図６は、その第１の従来例であって、第１の偏波保持ファイバ（ＰＭＦ）１と第２の偏波保持ファイバ（ＰＭＦ）２との間に、第１のレンズ３、偏光子（ＰＯＬ１）４及び第２のレンズ５が設けられている。
上記第１の従来例では、偏光子（ＰＯＬ）が挿入されているため、クロストークは良好であるが、出力光のパワーが変動するという問題点がある。
【０００４】
また、図７は、第２の従来例であって、第１の偏波保持ファイバ（ＰＭＦ）１と第２の偏波保持ファイバ（ＰＭＦ）２との間に、第１のレンズ３、ビームスプリッタ（ＢＳ）６及び第２のレンズ５を設け、該ビームスプリッタからの分岐光をホトダイオード（ＰＤ）７で受光した出力に応じて、図示しない光源の電流を制御する構成である。
上記第２の従来例では、ビームスプリッタ（ＢＳ）によって分岐した光出力をホトダイオード（ＰＤ）で受光してパワー制御を行うために光出力のパワーは安定させることができるが、クロストークは悪化するという問題点がある。
【０００５】
また、図８は、第３の従来例であって、第１の偏波保持ファイバ（ＰＭＦ）１と第２の偏波保持ファイバ（ＰＭＦ）２との間に、第１のレンズ３、光可変減衰器（ＶＯＡ）８、ビームスプリッタ（ＢＳ）６及び第２のレンズ５を設け、該ビームスプリッタからの分岐光をホトダイオード（ＰＤ）７で受光した出力に応じて、光可変減衰器（ＶＯＡ）を制御する構成である。
上記第３の従来例では、ビームスプリッタ（ＢＳ）によって分岐した光出力をホトダイオード（ＰＤ）で受光して光可変減衰器（ＶＯＡ）によってパワー制御を行うために光出力のパワーは安定させることができるが、クロストークは悪化するという問題点がある。
【０００６】
また、図９は、第４の従来例であって、第１の偏波保持ファイバ（ＰＭＦ）１と第２の偏波保持ファイバ（ＰＭＦ）２との間に、第１のレンズ３、ビームスプリッタ（ＢＳ）６及び第２のレンズ５を設け、該ビームスプリッタからの分岐光をモニタファイバ（ＳＭＦ）９を介して図示しないホトダイオード（ＰＤ）で受光した出力に応じて、光源の電流をを制御する構成である。
上記第４の従来例では、ビームスプリッタ（ＢＳ）によって分岐した光出力をモニタファイバ（ＳＭＦ）を介してホトダイオード（ＰＤ）で受光してパワー制御を行うために光出力のパワーは安定させることができるが、クロストークは悪化するという問題点がある。
【０００７】
【発明が解決しようとする課題】
図６〜図９に記載の従来のクロストーク改善モジュールでは、入射光の偏光状態によって通過損失が大きく変動するために、長時間に亘って安定した光出力を得ることが出来ないという問題があり、クロストークの高い光測定器や光源を製作するのが困難であるという問題があった。
【０００８】
本発明の課題
（目的）は、偏波保持ファイバ（ＰＭＦ）出力の光測定器や光源において、クロストークの劣化した最終段でクロストークを改善することによって、高い光出力の安定度を容易に得ることが可能なクロストーク改善モジュールを提供することにある。
【０００９】
【課題を解決するための手段】
前記課題を解決するために、第１の偏波保持ファイバと第２の偏波保持ファイバ間に介在されるクロストーク改善モジュールであって、
前記第１の偏波保持ファイバからの出力光を平行光にする第１のレンズと、
前記平行光を直線偏光に切り出す偏光子と、前記偏光子の出力光を分岐する分岐素子と、前記分岐素子で分岐された一方の分岐光を集光して前記第２の偏波保持ファイバに出力する第２のレンズと、前記分岐素子で分岐された他方の分岐光を受光する受光素子とで構成する。（請求項１）
【００１０】
また、第１の偏波保持ファイバと第２の偏波保持ファイバ間に介在されるクロストーク改善モジュールであって、
前記第１の偏波保持ファイバからの出力光を平行光にする第１のレンズと、
前記平行光を直線偏光に切り出す偏光子と、前記偏光子の出力光を分岐する分岐素子と、前記分岐素子で分岐された一方の分岐光を集光して前記第２の偏波保持ファイバに出力する第２のレンズと、前記分岐素子で分岐された他方の分岐光を受光するモニタファイバとで構成する。（請求項２）
また、前記受光素子又はモニタファイバからの出力に応じて前記第１の偏波保持ファイバへの光源の電流を制御する駆動手段を備える構成とする。（請求項３）
【００１１】
また、第１の偏波保持ファイバと第２の偏波保持ファイバ間に介在されるクロストーク改善モジュールであって、
前記第１の偏波保持ファイバからの出力光を平行光にする第１のレンズと、
前記平行光を直線偏光に切り出す偏光子と、前記偏光子の出力光を分岐する分岐素子と、前記分岐素子で分岐された一方の分岐光を集光して前記第２の偏波保持ファイバに出力する第２のレンズと、前記分岐素子で分岐された他方の分岐光を受光する受光素子と、前記偏光子の前段若しくは後段に設けられた入力光を可変させる光可変減衰器とを備え、前記受光素子からの出力に応じて前記光可変減衰器を制御する構成とする。（請求項４）
【００１２】
前記第１の偏波保持ファイバと前記クロストーク改善モジュールの入力端子との接続をレセプタクルによって行う構成とする。（請求項５）
偏波保持ファイバ対応の光学要素を複数段カスケード接続した装置の最終段に接続する構成とする。（請求項６）
【００１３】
【発明の実施の形態】
図１〜図５を用いて、本発明のクロストーク改善モジュールの構成について詳細に説明する。
なお、図１〜図５において、点線で囲った部分がクロストーク改善モジュールを示している。
図１は、本発明の第１の実施の形態の構成を示す図である。
図１において、第１の偏波保持ファイバ（ＰＭＦ）１と第２の偏波保持ファイバ（ＰＭＦ２）との間に、第１のレンズ３、偏光子（ＰＯＬ）４、ビームスプリッタ（ＢＳ）６、及び第２のレンズ５を設け、該ビームスプリッタ（ＢＳ）からの分岐光をホトダイオード（ＰＤ）７で受光した出力に応じて、図示しない光源の電流を制御する構成である。
上記第１の実施の形態では、偏光子（ＰＯＬ）が挿入されているため、クロストークが良好になると共に、ホトダイオード（ＰＤ）で受光した出力に応じてパワー制御を行うために光出力のパワーは安定させることができる。
【００１４】
図２は、本発明の第２の実施の形態の構成を示す図である。
図２において、第１の偏波保持ファイバ（ＰＭＦ）１と第２の偏波保持ファイバ（ＰＭＦ２）との間に、第１のレンズ３、光可変減衰器（ＶＯＡ）８、偏光子（ＰＯＬ）４、ビームスプリッタ（ＢＳ）６、及び第２のレンズ５を設け、該ビームスプリッタ（ＢＳ）からの分岐光をホトダイオード（ＰＤ）７で受光した出力に応じて、光可変減衰器（ＢＳ）によってパワー制御をする構成である。
上記第２の実施の形態では、偏光子（ＰＯＬ）が挿入されているため、クロストークが良好になると共に、ホトダイオード（ＰＤ）で受光した出力に応じて光可変減衰器でパワー制御を行うために光出力のパワーは安定させることができる。
【００１５】
図３は、本発明の第３の実施の形態の構成を示す図である。
図３において、第１の偏波保持ファイバ（ＰＭＦ）１と第２の偏波保持ファイバ（ＰＭＦ２）との間に、第１のレンズ３、偏光子（ＰＯＬ）４、ビームスプリッタ（ＢＳ）６、及び第２のレンズ５を設け、該ビームスプリッタ（ＢＳ）からの分岐光をモニタファイバ（ＳＭＦ）９に与え、該モニタファイバの出力を図示しないホトダイオード（ＰＤ）７で受光した出力に応じて、光可変減衰器（ＢＳ）によってパワー制御をする構成である。
上記第３の実施の形態では、偏光子（ＰＯＬ）が挿入されているため、クロストークが良好になると共に、モニタファイバを介してホトダイオード（ＰＤ）で受光した出力に応じて光可変減衰器でパワー制御を行うために光出力のパワーは安定させることができる。
【００１６】
図４は、本発明の第４の実施の形態の構成を示す図である。
図４において、第１の偏波保持ファイバ１と第２の偏波保持ファイバ（ＰＭＦ２）との間に、レセプタクル１０、第１のレンズ３、偏光子（ＰＯＬ）４、ビームスプリッタ（ＢＳ）６、及び第２のレンズ５を設け、該ビームスプリッタ（ＢＳ）からの分岐光をホトダイオード（ＰＤ）７で受光した出力に応じて、図示しない光源の電流を制御する構成である。
上記第１の実施の形態では、第１の偏波保存ファイバ１とクロストーク改善モジュールとの間をレセプタクル１０によって容易に接続でき、偏光子（ＰＯＬ）が挿入されているため、クロストークが良好になると共に、ホトダイオード（ＰＤ）で受光した出力に応じてパワー制御を行うために光出力のパワーは安定させることができる。
【００１７】
図５は、本発明の第５の実施の形態の構成を示す図である。
図５において、第１の偏波保持ファイバ１と第２の偏波保持ファイバ（ＰＭＦ２）との間に、レセプタクル１０、第１のレンズ３、光可変減衰器（ＢＳ）８、偏光子（ＰＯＬ）４、ビームスプリッタ（ＢＳ）６、及び第２のレンズ５を設け、該ビームスプリッタ（ＢＳ）からの分岐光をホトダイオード（ＰＤ）７で受光した出力に応じて、光可変減衰器（ＢＳ）を制御する構成である。
上記第１の実施の形態では、第１の偏波保存ファイバ１とクロストーク改善モジュールとの間をレセプタクル１０によって容易に接続でき、偏光子（ＰＯＬ）が挿入されているため、クロストークが良好になると共に、ホトダイオード（ＰＤ）で受光した出力に応じて光可変減衰器（ＢＳ）によってパワー制御を行うために光出力のパワーは安定させることができる。
【００１８】
次に図１０及び図１１を用いて本発明のクロストーク改善モジュールの使用の形態について説明する。
図１０は、その第１の使用例であって、図１０において、偏波保持ファイバ（ＰＭＦ）出力の光測定器や光源（図において点線で示した部分）の機器内部に使用する各種光学部品（光源及び各種光学部品Ａ，Ｂ，Ｃ）は偏波保持ファイバ（ＰＭＦ）対応に構成されている。
図１０において、各光学部品間は、融着又はコネクタ接続されており、その最終段に、本装置として図１、図３又は図４に示すクロストーク改善モジュールが接続され、該クロストーク改善モジュールからのモニタ出力によって駆動回路（ＡＰＣ）を介して光源の電流を制御する構成となっている。
【００１９】
図１１は、その第２の使用例であって、図１１において、偏波保持ファイバ（ＰＭＦ）出力の光測定器や光源（図において点線で示した部分）の機器内部に使用する各種光学部品（光源及び各種光学部品Ａ，Ｂ，Ｃ）は偏波保持ファイバ（ＰＭＦ）対応に構成されている。
図１０において、各光学部品間は、融着又はコネクタ接続されており、その外部に本装置として図２又は図５に示すクロストーク改善モジュールが接続され
接続され、該クロストーク改善もジュールからのモニタ出力によって内蔵する光可変減衰器（ＢＳ）を制御する構成となっている。
【００２０】
【発明の効果】
請求項１に記載の発明では、第１の偏波保持ファイバと第２の偏波保持ファイバ間に介在されるクロストーク改善モジュールであって、
前記第１の偏波保持ファイバからの出力光を平行光にする第１のレンズと、
前記平行光を直線偏光に切り出す偏光子と、前記偏光子の出力光を分岐する分岐素子と、前記分岐素子で分岐された一方の分岐光を集光して前記第２の偏波保持ファイバに出力する第２のレンズと、前記分岐素子で分岐された他方の分岐光を受光する受光素子とで構成することによって、偏波保持ファイバ（ＰＭＦ）出力の光測定器や光源において、クロストークの劣化した最終段でクロストークを改善することによって、高い光出力の安定度を容易に得ることが可能なクロストーク改善モジュールが得られる。
【００２１】
また、請求項２に記載の発明では、第１の偏波保持ファイバと第２の偏波保持ファイバ間に介在されるクロストーク改善モジュールであって、
前記第１の偏波保持ファイバからの出力光を平行光にする第１のレンズと、
前記平行光を直線偏光に切り出す偏光子と、前記偏光子の出力光を分岐する分岐素子と、前記分岐素子で分岐された一方の分岐光を集光して前記第２の偏波保持ファイバに出力する第２のレンズと、前記分岐素子で分岐された他方の分岐光を受光するモニタファイバとで構成することによって、モジュール内にホトダイオード等の受光素子を設けずに、偏波保持ファイバ（ＰＭＦ）出力の光測定器や光源において、クロストークの劣化した最終段でクロストークを改善することによって、高い光出力の安定度を容易に得ることが可能なクロストーク改善モジュールが得られる。
また、請求項３に記載の発明では、前記受光素子又はモニタファイバからの出力に応じて前記第１の偏波保持ファイバへの光源の電流を制御する駆動手段を備える構成とすることによって、光源の電流が可変できる装置に容易に適用できる。
【００２２】
また、請求項４に記載の発明では、第１の偏波保持ファイバと第２の偏波保持ファイバ間に介在されるクロストーク改善モジュールであって、
前記第１の偏波保持ファイバからの出力光を平行光にする第１のレンズと、
前記平行光を直線偏光に切り出す偏光子と、前記偏光子の出力光を分岐する分岐素子と、前記分岐素子で分岐された一方の分岐光を集光して前記第２の偏波保持ファイバに出力する第２のレンズと、前記分岐素子で分岐された他方の分岐光を受光する受光素子と、前記偏光子の前段若しくは後段に設けられた入力光を可変させる光可変減衰器とを備え、前記受光素子からの出力に応じて前記光可変減衰器を制御する構成とすることによって、光源の電流が調整できない形式の装置にも容易に適用できる。
【００２３】
また、請求項５に記載の発明では、前記第１の偏波保持ファイバと前記クロストーク改善モジュールの入力端子との接続をレセプタクルによって行うことによって、容易に接続ができる。
また、請求項６に記載の発明では、偏波保持ファイバ対応の光学要素を複数段カスケード接続した装置の最終段に接続する場合に特に効果を奏することができる。
【図面の簡単な説明】
【図１】本発明のクロストーク改善モジュールの第１の構成例を示す図である。
【図２】本発明のクロストーク改善モジュールの第２の構成例を示す図である。
【図３】本発明のクロストーク改善モジュールの第３の構成例を示す図である。
【図４】本発明のクロストーク改善モジュールの第４の構成例を示す図である。
【図５】本発明のクロストーク改善モジュールの第５の構成例を示す図である。
【図６】従来のクロストーク改善モジュールの第１の構成例を示す図である。
【図７】従来のクロストーク改善モジュールの第２の構成例を示す図である。
【図８】従来のクロストーク改善モジュールの第３の構成例を示す図である。
【図９】従来のクロストーク改善モジュールの第４の構成例を示す図である。
【図１０】本発明のクロストーク改善モジュールの第１の使用例を示す図である。
【図１１】本発明のクロストーク改善モジュールの第２の使用例を示す図である。
【符号の説明】
１　　　第１の偏波保持ファイバ（ＰＭＦ）
２　　　第２の偏波保持ファイバ（ＰＭＦ）
３　　　第１のレンズ
４　　　偏光子（ＰＯＬ）
５　　　第２のレンズ
６　　　ビームスプリッタ（ＢＳ）
７　　　ホトダイオード（ＰＤ）
８　　　光可変減衰器（ＶＯＡ）
９　　　　　　モニタファイバ（ＳＭＦ）
１０　　レセプタクル
【図１】
2004037553.tif 000003
【図２】
2004037553.tif 000004
【図３】
2004037553.tif 000005
【図４】
2004037553.tif 000006
【図５】
2004037553.tif 000007
【図６】
2004037553.tif 000008
【図７】
2004037553.tif 000009
【図８】
2004037553.tif 000010
【図９】
2004037553.tif 000011
【図１０】
2004037553.tif 000012
【図１１】
2004037553.tif 000013